Podtech/llm-jp-corpus-v4-ja_patent huggingface dataset:
(57)【要約】      （修正有）【課題】小魚の料理時に、腹部に切れ目を入れることなく鰓と腸を簡単且つ綺麗に取り除く、小魚の腸取り器を提供する。【解決手段】貫通した穴を有する筒に股７と腸除去部１、２が設けられており、小魚の口を開けて剣先６の方から挿入し、鰓を挟み込んで手元操作部４を回転させ、鰓と腸をねじ切って小魚の口から挟んで取り出すことを特徴とする小魚の腸取り器。腸掴み１５、１６は、差し替えにより長さとはさみ幅を変られるようになっている。【選択図】図１
2008278873.tif 000002
【特許請求の範囲】
【請求項１】
貫通した穴を有する筒に股と腸除去部を設け、股と腸除去部で鰓と腸を挟み、小魚の口から取り出すことを特徴とする小魚の腸取り器。
【請求項２】
長さと、挟み幅を変えた交換用腸掴みを作成し、腸掴みを交換用腸掴みと差し替えることにより、小魚の大きさを変えて腸取りができろことを特徴とする請求項１記載の小魚の腸取り器。
【発明の詳細な説明】
【技術分野】
【０００１】  本発明は、小魚から鰓と腸を簡単に取り除くための、小魚の腸取り器に関するものである。
【背景技術】
【０００２】    従来、小魚の腸を取るときは、腹部に包丁で切れ目を入れて、そこから取り除いていた。
【発明の開示】
【発明が解決しようとする課題】
【０００３】  そのために次のような問題点があった。
（イ）  小魚の腸を取り除く際腹部に切れ目を入れて、そこから取り出していた為に切り口が開き、料理の仕上がりの見栄えを悪くしていた。
（ロ）  まな板や包丁が、汚れたり臭いが残ったりして、その汚れや臭いを取り除くのに大量の水を必要とした。
本発明は以上の問題点を解決しようとするものである。
【課題を解決するための手段】
【０００４】  貫通した穴を有する筒に股と腸除去部を設け、股と腸除去部で、鰓と腸を挟み、小魚の口から取り出す。以上を特徴とする小魚の腸取り器である。
【発明の効果】
【０００５】  本発明は、小魚の調理中、腹部に切れ目を入れずに鰓と腸を簡単に取り除くことができるため、料理の仕上がりが綺麗で見栄えがするし、長さや、挟み幅を変えた交換用腸掴みを作成し、差し替えることが出来る様にしている為、小魚の大きさを変えて腸取りができ、調理後の分解掃除も容易で衛生的である。
【発明を実施する為の最良の形態】
【０００６】  以下本発明の実施の形態を説明する。
（イ）貫通した筒に股（７）と、腸除去部（１）、（２）のある腸掴み（１５）、（１６）を設ける。
（ロ）腸掴み（１５）、（１６）は対称型であり、構造的には微調整突起穴（１０）と、微調整突起（５）の位置以外は同じ構造をしており、二つの腸除去部（１）、（２）を、向かい合わせに配した形で一対を成している。
（ハ）手元操作部（４）の連結突起（８）を、腸掴み（１５）、（１６）の連結穴（９）に差し込み、弾性材（３）で手元操作部（４）と、腸掴み（１５）、（１６）を繋いでいる。
（ニ）腸除去部（１）、（２）間の挟み幅（１１）は、先端の剣先部（６）から股（７）の少し手前までを広く、股（７）に近い部分は狭くなっている。
（ホ）剣先部（６）は、鰓と腸を取り込み易くするために、内側に緩くアールを持たせており、側面は、怪我防止のため鈍い尖りになっている。
（ヘ）鰓を挟む時の腸除去部（１）、（２）間の挟み幅（１１）は、微調整突起（５）を押すことによって調整できる。
（ト）ねじ切った鰓と腸を、腸除去部（１）、（２）から取り除く時も、微調整突起（５）を押すことで、取り除き易くなる。
（チ）微調整突起（５）の位置は、右と左、若干ずらして設けている。
（リ）腸掴み（１５）は、二個ある微調整突起（５）の一個と、腸掴み（１６）は、もう一個の微調整突起（５）と、それぞれ一体型であり、腸の切れ端等が溜まらないように、（１２）の部分は埋め込みがされている。
（ヌ）手元操作部（４）には、腸掴み（１５）、（１６）を連結固定するための弾性材（３）を、スライドさせる溝（１３）を設けている。
（ル）弾性材（３）の内側に突起（１４）を設け、弾性材（３）の動きを制限している。
（ヲ）長さと挟み幅を変えた交換用腸掴み（１５−Ａ）、（１６−Ａ）を作成して、腸掴み（１５）、（１６）と差し替えが出来るようにしている。
本発明は、以上の構成よりなりたっている。
本発明を使用するときは、上記の腸取り器を小魚（Ｆ）の口を開けて、剣先（６）の方から挿入し、腸掴み（１５）、（１６）の腸除去部（１）と（２）の間に鰓を挟み込んで、鰓の後ろのカマと呼ばれるところに突き刺し、肛門の近くまで差込み、手元操作部（４）を回転させて鰓と腸をねじ切り、回しながら引き抜くと、綺麗に鰓と腸が挟まれて取れてくる。この結果、小魚（Ｆ）の腹部に切れ目を入れずに調理ができるため更に料理の幅が広がる。又、腸掴み（１５）、（１６）とは別に、長さと挟み幅を変えた交換用腸掴み（１５−Ａ）、（１６−Ａ）を作成して、腸掴み（１５）、（１６）と差し替えることで、小魚（Ｆ）の大きさを変えて腸取りができる。
【図面の簡単な説明】
【０００７】
【図１】本発明の全体斜視図
【図２】本発明の分解斜視図
【図３】本発明の平面図
【図４】本発明の腸除去部の動きを示す説明図
【図５】本発明の使用状態を示す説明図
【符号の説明】
【０００８】１、２      腸除去部
３          弾性材
４          手元操作部
５          微調整突起
６          剣先
７          股
８          連結用突起
９          連結穴
１０        微調整突起穴
１１        挟み幅
１２        埋め込み
１３        スライド用溝
１４        突起
１５、１６  腸掴み
Ｆ          小魚
Ａ          装置全体
【図１】
2008278873.tif 000003
【図２】
2008278873.tif 000004
【図３】
2008278873.tif 000005
【図４】
2008278873.tif 000006
【図５】
2008278873.tif 000007
(57)【要約】【課題】人体の免疫力を飛躍的に向上させ、健康増進と美容上の効果を著しく高めることができる健康飲料を提供する。【解決手段】地中より採取した深層水を原料水とする。この原料水をトルマリンを充填した槽内を通過させる等してトルマリンに接触させる。更にまた、該原料水に適量の酵素を混入する。【選択図】なし【特許請求の範囲】
【請求項１】
地中より採取した深層水を原料水とし、この原料水をトルマリンに接触させると共に酵素を混入してなる健康飲料。
【請求項２】
地中より採取した深層水を原料水とし、この原料水をトルマリンを充填した槽内を通過させる等してトルマリンに接触させると共にこれに適量の酵素を混入してなる健康飲料。
【発明の詳細な説明】
【技術分野】
【０００１】
本発明は、健康飲料に関し、更に詳細には地中より採取した深層水を原料水とし、この原料水の有する成分とトルマリン並びに酵素の作用とによって人体の免疫力を飛躍的に向上させ、もって健康増進に著効を奏すると共に美容向上効果も併せもつようになした健康飲料に係わるものである。
【背景技術】
【０００２】
従来より多種多様の健康飲料と称されるものが出回っている。そして、それらの多くは生薬を原材料とし、精力増強、滋養強壮等と銘打って販売されている。
【０００３】
しかし、斯かる従来の健康飲料は、いずれも気休めに過ぎないものが多く、人体の免疫力を著しく高める効果を奏することはできなかった。
【０００４】
ところで、人間の体は蛋白質１５％、脂質１３％、水分６５％、そのほかに核酸、グリコーゲンや骨を作っているカルシウムなどからできており、また、酵素は消化、排泄等、体の中で起こるいろいろな化学反応をスムーズに進める触媒の作用をもっている特殊な蛋白質の総称であり、あらゆる生物が生きていく上でなくてはならない存在である。
そして、その酵素は２０歳を過ぎ老化が始まると徐々に減っていき、１００歳以上まで健康で生きていくには、これを補給しなければならない。
【０００５】
人間は本来食事から酵素をたっぷりと取り入れてきたのであり、植物の葉や茎、根にはたくさんの酵素が含まれている。木の実や種子にも、また、動物の肉や魚にも同様に含まれている。そして、世界の長寿地域には必ず発酵食品があり、ヨーロッパやロシア、南米などの長寿地域では、乳酸菌によって発酵させたチーズやヨーグルトを毎日食べている。
【０００６】
酵素は人の体内でいろいろな働きをし、そしてまた、その種類は非常にたくさんあり、細かく述べると４０００種類近くなる。また、酵素はビタミンやミネラルと違って病気などに直接ではなく、触媒として働くものである。したがって、酵素がなければ栄養素は体内で働くことができないのである。酵素は人間の生命を支える主役であり、酵素が不足すればいろいろな病気が発生することになるのである。
【０００７】
また、「活性酸素は、病気の９０％に関係している。」と言われている。そして、その活性酸素が体の中に多く発生すると、体の中の酵素が足りなくなり、活性酸素が活躍して生活習慣病などいろいろな病気を引き起こすことになる。
【０００８】
また、地中より採取した深層水は、多くのミネラルを含んでおり、特に水晶を含んだ溶岩石の中を長い年月をかけて流れ、濾過された水は、様々な鉱石からミネラルなどの栄養素だけでなく、その鉱石（宝石）のエネルギーより放射されたパワーをも含んでいる。
【０００９】
また、トルマリンは、水を殺菌する効果によってその腐敗を防ぎ、水を長持ちさせることができると共に、遠赤外線とマイナスイオンを放射し、その遠赤外線とマイナスイオンの複合効果によって細胞を活性化させることができるものである。
【発明の開示】
【発明が解決しようとする課題】
【００１０】
本発明者は、従来の健康飲料が充分な免疫力の向上を期待することができなかったことに鑑み、鋭意研究した結果、ミネラルなどの栄養素だけでなくその他のエネルギーをも多量に含んだ地中より採取した深層水を原料とし、これに上記の如く作用するトルマリンと酵素の作用とを加えることによって、人体の免疫力を飛躍的に向上させ、もって健康増進に著効を奏すると共に美容向上効果も併せもつ健康飲料が得られることを知見し、本発明の完成をみるに至ったものである。
【課題を解決するための手段】
【００１１】
而して、本発明の要旨とするところは、地中より採取した深層水を原料水とし、この原料水をトルマリンに接触させると共に酵素を混入してなる健康飲料にある。尚、トルマリンに接触させるには、原料水をトルマリンを充填した槽内を通過させる等して行うものである。
【発明の効果】
【００１２】
本発明に係る健康飲料は、上記の如く、ミネラルなどの栄養素だけでなくその他のエネルギーをも多量に含んだ地中より採取した深層水を原料とし、これにトルマリンと酵素の作用とを加えたものであるから、これを継続的に飲用することによって、人体の細胞を活性化させて免疫力を飛躍的に向上させ、もって健康増進に著効を奏すると共に美容上の効果も高めることができるものである。そしてまた、その具体的な効果を挙げると次の通りである。
【００１３】
（１）消化を助ける。
（２）活性酸素の大量な発生を抑制する。
（３）血糖値、尿酸値、コレステロール値を下げる助けをする。
（４）肝臓、腎臓、心臓、糖尿の改善を助ける。
（５）血液循環、通風、リウマチ、冷え性、神経痛、筋肉痛、肩凝り、腰痛が良くなる助けをする。
（６）アレルギー、アトピーを改善する助けをする。
（７）保湿力が向上し、美髪、美肌効果がある。
（８）保存性が良く、水が長持ちする。
【発明を実施するための最良の形態】
【００１４】
本発明を実施するための最良の形態は、地中より採取した深層水を原料水とし、この原料水をトルマリンに接触させると共に酵素を混入することにある。
【実施例】
【００１５】
以下、本発明の実施例について説明する。
本発明は、地中より採取した深層水を原料水とする。該深層水は、多くのミネラルを含んでおり、特に水晶を含んだ溶岩石の中を長い年月をかけて流れ、濾過された水は、様々な鉱石からミネラルなどの栄養素だけでなく、その鉱石（宝石）のエネルギーより放射されたパワーも含んでいる。尚、該深層水としては、ハワイ島のプナ地区において地中より採取される深層水が最適である。
【００１６】
そして、上記原料水は、トルマリンを充填した槽内を通過させてトルマリンに接触させるものである。このときトルマリンによる殺菌効果によって水を長持ちさせるようにすることができ、またトルマリンから放射される遠赤外線とマイナスイオンによって細胞を活性化させることができるようになるものである。
【００１７】
そして更に、上記原料水に酵素を混入させるものである。このように酵素を適量混入したことにより、不足しがちな酵素を充分に補給することができるようになるものである。また、用いる酵素としては、その種類は問わないが、ＳＯＤ（Ｓｕｐｅｒｏｘｉｄｅ  Ｄｉｓｍｕｓｔａｓｅ）が最適である。尚、該ＳＯＤ（Ｓｕｐｅｒｏｘｉｄｅ  Ｄｉｓｍｕｓｔａｓｅ）は植物から生成され、形態は粉末である。
【００１８】
以上の成分並びに作用によって人体の免疫力を飛躍的に向上させ、もって健康増進に著効を奏すると共に美容上の効果も著しく高めることができるものである。
(57)【要約】【課題】単体一つのトランスに多重波システムによって定格以上のアンペアを設定でき過電流及び高調波対策とＤ−Ａコンバータによる疑似正弦波のビット数の増加することにより極力アナログ正弦波に近ずける課題【解決する手段】多重波の発生を単一のトランスの容量を部分的に増加で加算式多重化をする為平均波トランスと実効波トランスと二段階に分割した疑似正弦波実効波の面積を増加すべき対策をＤ−Ａコンバータのビット数の増加【選択図】図３
2008278730.tif 000002
【特許請求の範囲】
【請求項１】
トランス巻き線径の異なったＴ１実効波出力段Ｔ２平均波出力段Ｔ１をＤ−Ａコンバータによる疑似正弦波入力Ｔ２をＤ−Ａコンバータによる台形型疑似正弦波二つを加算式多重波を発生させる
【発明の詳細な説明】
【技術分野】
【０００１】単一トランスの組合わせの多重波インバータ
【背景技術】
【０００２】昇圧トランスの中間タップで巻き線径を仮設している
【非特許文献１】北川一雄  著  オーム社出版  トランジスタ技術と工作入門
【発明の開示】
【発明が解決しようとする課題】
【０００３】１対１の巻き線径の異なったＰＴトランスでＤ−Ａコンバータ入力で加算式多重波で家電流高調波を解決する
【課題を解決する手段】
【０００４】多重波発生時過負荷時は上波の実効波台形Ｄ−Ａコンバータのビット数の可変はインバーダ出力からＣＴにより検出でき下波の平均波との加算多重波により単一トランス同士組合わせによりトランスの容量も増加でき設定以上のアンペア受けることができる
【発明を実施するための最良の形態】
【０００５】ＣＴの検出により疑似正弦波発生のＤ−Ａコンバータのビット数の可変でＰＴ１の実効波電圧電流の面積を増加させ単一トランス同士の組合わせで巻き線容量の増加と共に多重波の如く過負荷と高調波に対応出来る
【産業上の利用可能性】
【０００６】多重波の為トランスの組合わせで構成し高調波除去と過電流保護とこの二項をＤ−Ａコンバータの疑似正弦波と共に制御している
【作用】
【０００７】位相が異なったＤ−Ａ型台形波とＤ−Ａ型疑似正弦波は多重トランスで巻き線径の違うトランスと重畳合成出来電圧を増加させることでインバータトランスの容量を増加する
【実施例】
【０００８】４５度−１２５度の実効波出力トランスのＤ−Ａコンバータ疑似正弦波と１８０度の平均波出力トランスのＤ−Ａ台形疑似正弦波の階段波を二段波に加算多重波させ電圧ベクトルとする
加算多重化された半周期１８０度発生の疑似正弦波の分解時のシステムの位相配置図は図３の如くＤ−Ａコンバータのラダー抵抗の最下位ＬＳＢと最上位ＭＳＢとの間で使い分けている
その項は図１実効波は中位置とＭＳＢとの間でＢＣＤカウンターでＤ−Ａコンバータとして高電圧位置で発生させる
図２平均波はＬＳＢの低電圧位置でＢＣＤカウンターとして繰り返し台形波を発生させる
【図面の簡単な説明】
【０００９】
【図１】実効波発生のＤ−Ａコンバータ
【図２】平均波発生の台形波Ｄ−Ａコンバータ
【図３】実効波と平均波の加算式多重波合成図
【図４】ベクトル図
【符号の説明】
〈１〉実効波構成のＤ−Ａコンバータ及びアップ．ダウンカウンター
〈２〉平均波構成のＤ−Ａコンバータ及びアップ．ダウンカウンター
〈３〉ラダー型抵抗
【図１】
2008278730.tif 000003
【図２】
2008278730.tif 000004
【図３】
2008278730.tif 000005
【図４】
2008278730.tif 000006
(57)【要約】
2008278731.tif 000004
【特許請求の範囲】
2008278731.tif 000003
【発明の詳細な説明】
2008278731.tif 000002
【手続補正書】
【提出日】平成19年8月2日(2007.8.2)
【手続補正１】
【補正対象書類名】明細書
【補正対象項目名】全文
【補正方法】変更
【補正の内容】
【発明の詳細な説明】
【技術分野】
【０００１】  多重録音１０００回・・・・。【０００２】  電機メーカーで作る・・・・。
（上記のように全文を記載します）
【手続補正２】
【補正対象書類名】特許請求の範囲
【補正対象項目名】全文
【補正方法】変更
【補正の内容】
【特許請求の範囲】
【請求項１】
スタジオで１０００回、２０００回のオーバーダビングを一瞬でできる・・・・・。
【請求項２】
ＤＶＤデジタルビデオディスクを録画できるように・・・・。
（上記のように特許請求の範囲の全文を記載します。）
多重録音１０００回・・・・
〔００１〕オーバタビングＩＩＩサウザンズ
電機メーカで作る・・・・
〔００２〕
ＤＶＤ見聞録
(57)【要約】【課題】  模型電動カーなどのラジオコントロール装置は、走行用モーターやステアリングサーボの動作によりモーター速度制御装置で安定化された電圧が低下した場合、受信機が動作しなくなり、モーター速度制御装置及びステアリングサーボの動きが正常ではなくなってしまう。【解決手段】  ラジオコントロール装置において、昇圧回路を搭載したことを特徴とする受信機用電圧低下防止装置である。または、モーター速度制御装置内に上記装置を設けたことを特徴とするラジオコントロール装置である。【選択図】  図１
2008278697.tif 000002
【特許請求の範囲】
【請求項１】
ラジオコントロール装置において、昇圧回路を搭載したことを特徴とする受信機用電圧低下防止装置
【請求項２】
モーター速度制御装置内に請求項１の装置を設けたことを特徴とするラジオコントロール装置
【発明の詳細な説明】
【技術分野】
【０００１】
この発明は、受信機用電圧低下防止装置並びにこれを搭載したラジオコントロール装置に関する。
【背景技術】
【０００２】
従来の例として模型電動カーのラジオコントロール装置を図４に示す。送信機1から送信された信号を模型電動カー4に取り付けられた受信機8で受信し、その制御信号を基に走行スピード、ステアリングを操作する。即ち、送信機1の操作に連動して模型電動カー4が前後の走行及び左右のステアリング動作を行う。
模型電動カー4には、電池7、走行用モーター9、モーター速度制御装置6、受信機8、ステアリングサーボ5が搭載されている。電池7（例えば7.2V）は、モーター速度制御装置6へ接続され、安定化された電圧（例えば6V）を受信機8へ供給する。この電圧は、受信機8を通してステアリングサーボ5の動作電圧としても使用される。一方、受信機8からの制御信号は、モーター速度制御装置6及びステアリングサーボ5へそれぞれ接続される。受信機8の信号出力によりモーター速度制御装置6、ステアリングサーボ5が制御され、それぞれ走行用モーター9の速度、ステアリングサーボ5の回転位置が制御される。
【発明の開示】
【発明が解決しようとする課題】
【０００３】
しかしながら、以上の技術によれば、モーター速度制御装置で安定化された電圧が低下した場合（例えば2V以下）、受信機が動作しなくなり、モーター速度制御装置及びステアリングサーボの動きが正常ではなくなってしまう。モーター速度制御装置で安定化された電圧が低下する原因としては、急激な加速により走行用モーターへ大電流が流れ、瞬間的に電池電圧が下がる場合が挙げられる。また、ステアリングサーボに大電流を流す高トルクタイプを使用すると、同様に瞬間的な電圧低下を起こすこともある。受信機の動作が不安定になると制御不能となり暴走して危険である。このような受信機動作の不安定を解消するために受信用の電池を別に搭載する場合もあるが、それにより重量が重くなることや充電の手間がかかるなどのデメリットも発生する。
そこで、この発明は、受信用の別電池を搭載することなく、モーター速度制御装置で安定化された電圧が低下しても受信機を安定に動作させる装置を提供することを課題とする。
【課題を解決するための手段】
【０００４】
以上の課題を解決するために、請求項１の発明は、ラジオコントロール装置において、昇圧回路を搭載したことを特徴とする受信機用電圧低下防止装置である。請求項２の発明は、モーター速度制御装置内に請求項１の装置を設けたことを特徴とするラジオコントロール装置である。
【発明の効果】
【０００５】
モーター速度制御装置で安定化された電圧が著しく低下した場合も受信機の電源は昇圧回路により電圧低下せず、安定に供給することができる。また、受信用の別電池を搭載する必要もないので、充電などの手間がかからず重量も軽くすることができる。
【発明を実施するための最良の形態】
【０００６】
この発明の一実施形態として、図１を示す。電圧低下防止装置100は、モーター速度制御装置6、ステアリングサーボ5、受信機8の間に挿入される。電池7からモーター速度制御装置6へ供給された電圧（例えば7.2V）は、モーター速度制御装置6で安定化される（例えば6V）。電圧低下防止装置100内は、例えば、図３のような内部回路となっており、モーター速度制御装置6で安定化された電圧（例えば6V）に昇圧回路102を通したものを受信機8の電源として供給する。ステアリングサーボの電源は、昇圧回路102を通さないでモーター速度制御装置で安定化された電圧をそのまま使用する。内部回路である図３中の矢印は、それぞれ電流・信号の流れを示す。受信機8から出力される制御信号は、モーター速度制御装置用とステアリングサーボ用があり、双方電圧低下防止装置100を通して接続される。
【０００７】
この実施形態によれば、走行用モーターやステアリングサーボの動作によりモーター速度制御装置で安定化された電圧が著しく低下しても受信機の電源電圧を安定させることができ、受信機の動作不安定による暴走を防止することができる。また別途受信用の電池を搭載する必要もないため充電などの手間がかからず、重量も軽量化することが可能である。
【０００８】
この発明の他の実施形態として図２を示す。図１の実施形態では、モーター速度制御装置6、ステアリングサーボ5、受信機8の間に電圧低下防止装置100を挿入したが、モーター速度制御装置6の内部にこの装置を付加することも可能である。電圧低下防止装置付きモーター速度制御装置を図２の101に示す。モーター速度制御装置内では、一般的に昇圧回路が使用されているため、回路を併用することで外部に電圧低下防止装置を設けることなく同様の効果を得ることが可能である。模型電動カー上で設置する装置の面積も少なくすることができ、重量もより軽くすることができる。
また、この発明は、模型電動カーだけではなく、模型電動飛行機、ヘリコプター、ボートなどにも応用が可能である。
【図面の簡単な説明】
【０００９】
【図１】この発明の一実施形態を示すラジオコントロール模型電動カーの接続図である。
【図２】この発明の別の実施形態を示すラジオコントロール模型電動カーの接続図である。
【図３】図１中の電圧低下防止装置100の一実施形態を示す内部回路である。
【図４】従来のラジオコントロール模型電動カーの接続図である。
【符号の説明】
【００１０】
1  送信機
2  走行用操作レバー
3  ステアリング用操作レバー
4  模型電動カー
5  ステアリングサーボ
6  モーター速度制御装置
7  電池
8  受信機
9  走行用モーター
10  電源6V・ステアリングサーボ用信号線
11  電源6V・モーター速度制御装置用信号線
12  ステアリングサーボ用信号線
13  昇圧電源6V・モーター速度制御装置用信号線
100  電圧低下防止装置
101  電圧低下防止装置付きモーター速度制御装置
102  昇圧回路
【図１】
2008278697.tif 000003
【図２】
2008278697.tif 000004
【図３】
2008278697.tif 000005
【図４】
2008278697.tif 000006
(57)【要約】【課題】宝石類を親骨に美麗に且つ確実に固定した扇子を提供する。【解決手段】親骨１１の表面に凹部を設け、そこに宝石類１３を陥設して、窓を有する薄い押え板１１で固定する。親骨１１には凹部を設けず、やや厚めの押え板１２に貫通孔を設け、宝石類１３を固定するようにしてもよい。押え板１２を親骨１１に固定するには、押え板１２の下面に一対のピンを設け、それらを親骨１１の対応する孔に挿入するという方法を取ることができる。【選択図】図２
2008278989.tif 000002
【特許請求の範囲】
【請求項１】
宝石類を押え板により親骨の表面に固定したことを特徴とする扇子。
【請求項２】
前記押え板の一方の面に突出した一対のピンを設け、それらを親骨に設けた対応する孔に挿入することにより押え板を親骨に固定する請求項１に記載の扇子。
【発明の詳細な説明】
【技術分野】
【０００１】
本発明は、宝石類を親骨に装着した扇子に関する。なお、本出願でいう「宝石類」には、ダイヤモンドやルビー等の鉱物性のものの他、琥珀等の非鉱物性のものやガラス、プラスチック等の模造品、或いは貴金属製の装飾物も含む。
【背景技術】
【０００２】
従来、扇子の親骨に宝石類を装着する方法としては、接着剤を使う方法の他、磁石や係止リング等の取付具を用いる方法があった。
【特許文献１】実登3044414号公報（[0025],図4）
【発明の開示】
【発明が解決しようとする課題】
【０００３】
接着剤を用いる方法は、透明又は半透明な宝石類の場合には、外観を低下させるため、装飾性の点より不適切であった。また、磁石等の取付具を用いる方法は宝石類が外れやすく、また、係止リングを用いる方法は、宝石の完全な固定とはならず、扇子等の収納に問題があった。そこで、本発明は、宝石類を親骨に美麗に且つ確実に固定すると共に、収納性の良い扇子を提供することを課題とする。
【課題を解決するための手段】
【０００４】
上記課題を解決するために成された本発明に係る扇子は、宝石類を押え板により親骨の表面に固定したことを特徴とする。
【０００５】
前記押え板は、接着剤で親骨に固定してもよいが、押え板の一方の面に突出した一対のピンを設け、それらを親骨に設けた対応する孔に挿入することにより親骨に固定するのが好ましい。
【０００６】
前記親骨や前記押え板には、通常の扇子で用いられる竹材の他、金属、木材、プラスチック等を用いることができる。
【発明の効果】
【０００７】
本発明では、押え板によって宝石類を固定するため、透明又は半透明な宝石類もその美麗な外観を保持したまま固定することができる。また、親骨から大きく突出することがないので、扇子の収納も容易となる。
【発明を実施するための最良の形態】
【０００８】
以下、添付図面を使って、本発明の扇子の実施例を説明する。
【実施例】
【０００９】
図１は、本発明の一実施例であるの装飾付扇子の正面図（ａ）と側面図（ｂ）である。本実施例の扇子１０は、扇面紙１０１、小骨１０２、要１０３、親骨１１、押え板１２、宝石１３を主な構成要素としている。図２は、装着された宝石１３とその周辺を拡大したものであり、（ａ）は正面図、（ｂ）はそのＡ−Ａ’線における断面図である。図３は、図２（ｂ）と同位置の分解図である。
【００１０】
親骨１１には全面に金めっきを施した厚さ3 mmのアルミ板、押え板１２には厚さ0.3 mmの薄い銀板を用いている。本実施例では、押え板１２の表面に龍の彫刻を施し、その輪郭も龍を模した複雑な形状としている。このような加工や後述する窓１５等の加工は、コンピュータ制御の３次元彫刻機を用いて行っている。なお、本実施例では押え板１２を、その模様に合わせた複雑な形状としたが、もちろん、単純な形状であってもかまわない。また、押え板を親骨１１とほぼ同形状とし、親骨１１の全面を覆うようにしてもよい。
【００１１】
親骨１１には、凹部１４が設けられ、そこに宝石１３が陥設されている。また、押え板１２は、宝石１３の外形よりも小さい窓１５を有し、前記の親骨１１に固定される。これらによって、宝石１３は外部から視認することができるとともに、親骨１１に確実に固定される。なお、図４に示すように、親骨１１ａには凹部を設けず、やや厚めの押え板１２ａを用いて、押え板１２ａに、親骨１１ａとの接合面（下面）で大きく、その反対側（上面）で小さい貫通孔１５ａを設け、その貫通孔１５ａで宝石１３ａを固定するようにしてもよい。
【００１２】
本実施例の扇子１０では、宝石１３は龍の目に見立てたものである。作業性の点では底面が平坦なカボッションカット形状の宝石類が適しているが、親骨や押え板に適切な凹部を設けておけば、楕円球形状、マーキスカット形状、オーバルカット形状など任意の形状の宝石類を使用することもできる。
【００１３】
図５は、押え板１２とその周辺の長手方向断面・分解図である。押え板１２は、接着剤で親骨１１に固定することもできるが、このように、押え板１２の両端から下方にハ字状に突出するように設けたピン１６と、それに適合するように親骨１１の表面に設けた孔１７によって固定すると、宝石の取り替えが可能となる。なお、ピン１６は、押え板１２と一緒に平面状に形成し、その後折り曲げて下方に突出させるという加工方法をとることにより、押え板１２の製造コストを大幅に低下させることができる。
【００１４】
図５の例では、押え板１２の両端にピン１６を設けているが、外観をすっきりさせたい場合には、押え板１２の下面と親骨１１の表面の双方に孔を設け、別に用意したピンをそれらに挿入するようにしてもよい。また、図６に示すように、一対のピンは、押え板１２ｂの長手方向ではなく幅方向に設けてもよく、その傾きも、一方を内向きに、他方を垂直にしてもよい。なお、ピンと孔は２対以上あってもよい。
【００１５】
なお、本発明は上記実施例に限定されるものではなく、親骨や宝石類、押え板の形状や素材、個数を変更したり、それらに絵柄や着色、彫刻を施す等、デザインに応じた様々な変形をすることが可能である。
【図面の簡単な説明】
【００１６】
【図１】本発明の実施例である宝石類を親骨に装着した扇子の正面図（ａ）及び側面図（ｂ）。
【図２】実施例の扇子の宝石類とその周辺の正面図（ａ）及びＡ−Ａ’線における断面図（ｂ）。
【図３】実施例の扇子の図２（ｂ）と同位置の分解図。
【図４】親骨に凹部を設けない扇子の分解図。
【図５】長手方向に一対のピンを設けた押え板とその周辺の扇子の断面・分解図。
【図６】幅方向に一対のピンを設けた押え板とその周辺の扇子の断面・分解図。
【符号の説明】
【００１７】
１０…扇子
１０１…扇面紙
１０２…小骨
１０３…要
１１、１１ａ、１１ｂ…親骨
１２、１２ａ、１２ｂ…押え板
１３、１３ａ…宝石
１４…凹部
１５…窓
１５ａ…貫通部
１６、１６ｂ、１６ｃ…ピン
１７、１７ｂ、１７ｃ…孔
【図１】
2008278989.tif 000003
【図２】
2008278989.tif 000004
【図３】
2008278989.tif 000005
【図４】
2008278989.tif 000006
【図５】
2008278989.tif 000007
【図６】
2008278989.tif 000008
(57)【要約】【課題】  スキ−板にスキ−棒を付けるとリフトに乗るとき一体化してるために人によってはリフトに乗りずらい。【解決手段】ピンをワンタッチでさし入れ可能なピンに変更すると取り外しが容易になり解消される。【選択図】図１
2008278982.tif 000002
【特許請求の範囲】
【請求項１】
既存のスキ−板を使用し、１本式の連結棒４、関節式の連結棒４、自在式の連結棒４により２本のスキ−板をつなぎ２本のスキ−板が自在に動くようにピン２をいれ、いっそう滑らかになるようにブッシュ３等を入れ、それらが取り付け、取り外しが出来るように金具１、プレ−ト５等にネジ等により取り付けた用具である。
【発明の詳細な説明】
【技術分野】
【０００１】
本発明は従来のスキ−板にスキ−棒を取り付け従来の滑り方と同様に滑れるように考案し、スキー滑走時の訓練とレジャ−を兼ねたスキ−用具である。
【背景技術】
【０００２】
従来、スキ−は、２本のスキ−板で滑っていた。世界的に常識であり、現在でもその滑り方が普通である。
【発明の開示】
【発明が解決しようとする課題】
【０００３】
本発明はスキ−板上にあるブ−ツの前後に左右のスキ−板が連結されるように１セットずつ付けるようにして、スキ−滑走が出来るようにしたものである。また、本発明はスキ−棒の連結棒を外して使用すれば従来の時と同じようにスキ−滑走が出来るようにする。
【課題を解決するための手段】
【０００４】
本発明は、２本のスキ−板を連結棒４で連結し、その連結棒４を金具１で支え、そこをピン２でつなぐことにより滑走時の時に姿勢が維持され訓練になる。また、ピン２と連結棒１の関係を遊びを設けることにより、普通の滑りも可能になる。また、連結棒４をピン２により脱着可能にすれば、通常の滑走が可能になる。
【発明の効果】
【０００５】
このようにすれば、今まで通りの滑走も可能だし、スキ−棒を付ければスケ−トボ−ドのように一体姿勢で滑走が出来る。また、滑走時のスキ−板の左右のずれもなくなり、訓練にもなる。
【図面の簡単な説明】
【０００６】
【図１】使用全体図
【図２】平面図
【図３】正面図
【図４】側面図
【図５】使用形状図
【図６】ピン変更図
【符号の説明】
【０００７】
１  金具  
２  ピン
３  ブッシュ
４連結棒
５プレ−ト
【図１】
2008278982.tif 000003
【図２】
2008278982.tif 000004
【図３】
2008278982.tif 000005
【図４】
2008278982.tif 000006
【図５】
2008278982.tif 000007
【図６】
2008278982.tif 000008
(57)【要約】 【課題】    従来の切り取り粘着ロールクリーナーは使用後の粘着部の汚れ等で再使用する時、切り取り部が判りづらかったり、途中で破けたりきれいに剥がすのに容易でなく、衛生面でも問題であった。【解決手段】ロール本体（１）に巻かれた粘着紙（２）の長手方向中央部に一定の巾をもってロール巻上げ方向に帯状に延ばした無粘着部（３）を設け更にその同上に使用済みの粘着紙（２）を切り取る為の切り取りツメ（６）と着色部（５）を設ける事によって一目で切り取り場所が把握出来、無粘着部（３）を設ける事によって切り取りツメ（６）の裏面も同質である為、粘着力がなく、摘みやすくなり又、切り取り線（４）を段階状に一定の巾で切り目を入れる事でスムーズに且つきれいに剥がす事が出来、指、手等を汚さず衛生的である。【選択図】図５
2008279000.tif 000002
【特許請求の範囲】
【請求項１】
ロール状に巻かれた粘着紙（２）の長手方向中央位置に一定の巾をもって無粘着部（３）を設けロールの巻き上げ方向へ帯状に無粘着部（３）を延ばし、粘着紙（２）上に設けた段階状の加工された切れ目を入れた切り取り線（４）とその中央部上に粘着紙（２）を切り取る為の切り取りツメ（６）を設ける事によって使用済みの粘着紙を容易に剥がし切り取る事が出来る機能を設けた切り取り粘着ロールクリーナー。
【請求項２】
請求項１に記載する発明の切り取りツメ（６）に於いて使用済みの粘着紙（２）を切り剥がす際に切り取りツメ（６）の位置を判りやすくする為、切り取りツメ（６）の表面に一部着色した着色部（５）を設けた切り取り粘着ロールクリーナー
【発明の詳細な説明】
【技術分野】
【０００１】
本発明はロールクリーナー使用後の粘着紙に於いて切り取り、剥がし等を行う事によってスムーズに再使用出来る切り取り粘着ロールクリーナーに関する。
【背景技術】
【０００２】
従来の切り取り粘着ロールクリーナーにはロール本体粘着部に切り取り剥がす為のミシン目がなくロール両端に一部切れ目だけを入れたものがあった。
【０００３】
ミシン目又は、切れ目がロール長手方向に加工され、粘着紙の中央に切り取り部を設けたものもあった。
【０００４】
以上に述べた従来の切り取り粘着ロールクリーナーは再使用する際にほこり、ゴミ、髪の毛等で汚れが付着して切り取り部が隠れてしまった。
【特許文献１】特開    昭６０−１８９５４４号  公報
【発明の開示】
【発明が解決しようとする課題】
【０００５】
又、粘着部にミシン目による切れ目があっても使用後の汚れ等が付着し、剥がす位置が見つからず、手間取ったり、指、手等を汚したりして不衛生であった。
【０００６】
本発明はこのような従来の構成が有していた問題を解決しようとするものであり、使用後の粘着紙をスムーズに切り剥がせ再使用出来る事を目的とされるものである。
【課題を解決するための手段】
【０００７】
本発明は上記の目的を達成する為にロール粘着部長手方向中央位置に一定の巾による無粘着部（３）を帯状にロールの巻き方向に延ばし、無粘着巾の一定位置に一部カット加工された切り取りツメ（６）を設け、ツメ（６）の一部に切り取り目安として着色部（５）を設けた。
【０００８】
又、使用後の粘着紙を切り取る為の切り取り線（４）を粘着部（２）の中央切り取りツメ（６）の両端から左右同じく切り取る方向へ段階状に切れ目を入れ使用した粘着紙を容易に且つ、正確に切り剥がす事が出来るよう構成した。
【発明の効果】
【０００９】
そして、以上の解決手段によって使用後の粘着紙に付着したほこり、ゴミ、髪の毛等の汚れで指、手等を汚さずスムーズに切り取り剥がす事が出来る。
【００１０】
上述したように本発明の切り取り粘着ロールクリーナーは粘着紙（２）の中央部の無粘着部（３）を設け（３）の一定の位置に切り取りツメ（６）と更に（６）の切り目上部に目安として一部着色による着色部（５）を設けた。
【００１１】
更に切り取りツメ（６）の両端下より左右に一定の巾による切り目を段階状に加工する事によって再使用時にきれい、且つ確実に切り取る事が出来、指、手等を汚さず衛生面でも効果をもたらす。
【００１２】
そして、無粘着部（３）の一定の位置に切り剥がす為の切り取りツメ（６）を形成し、更に（６）の同上に切り取り目安として着色による着色部（５）を設けた。
【発明を実施するための最良の形態】
【００１３】
以下、本発明の実施形態を図５に基づいて説明する。
【００１４】
図においては、ロール本体（１）の表面上に粘着部を設け、粘着紙（２）とし、（２）の中央位置にロールの巻き上げ方向に延びた一定巾の無粘着部（３）を設けた。
【００１５】
更に無粘着部（３）の一定位置に使用後の汚れた粘着紙（２）を切り剥がす為の切り取りツメ（６）を加工した。
【００１６】
又、切り取りツメ（６）の一部に（６）の位置が判りやすくする為の目安になる着色による着色部（５）を設けた。
【００１７】
そして、切り取りツメ（６）の両端下部左右を段階状に一定の巾で切り目を入れた切り取り線（４）を設け、切り取りツメ（６）によってロール本体（１）の中央より、剥がし、切り取る事が容易になった。
【００１８】
以下、上記構成の動作を説明する。粘着紙（２）を使用し、ほこり、ゴミ、髪の毛等で汚れた粘着紙（２）を再度使用する際、無粘着部（３）に設けた着色部（５）によって剥がす位置を確認出来、更に切り取りツメ（６）の裏面部が無粘着部（３）である為、剥がれ、摘みやすくなり、（６）をもってロール本体（１）の中央より切り取り線（４）にて確実に切り剥がす事が出来る。
【図面の簡単な説明】
【００１９】
【図１】本発明の平面図
【図２】本発明の正面図
【図３】本発明の底面図
【図４】本発明の右側面図
【図５】本発明の展開図（ａ）粘着部の説明図（ｂ）裏面無粘着部の説明図
【図６】本発明の斜視図（ａ）切り取り説明図（ｂ）切り取りツメ部の説明図
【符号の説明】
【００２０】
１  ロール本体
２  粘着紙
３  無粘着部
４  切り取り線
５  着色部
６  切り取りツメ
７  裏面無粘着部
【図１】
2008279000.tif 000003
【図２】
2008279000.tif 000004
【図３】
2008279000.tif 000005
【図４】
2008279000.tif 000006
【図５】
2008279000.tif 000007
【図６】
2008279000.tif 000008
(57)【要約】      （修正有）【課題】外耳道を密閉することなく鼓膜面と外気の通気性を確保し閉塞感不快感の解消、ハウリングの発生を防止した補聴器を提供する。【解決手段】耳かけ式補聴器において、ケース１１本体より外耳道に装着した耳栓（イヤーチップ）２２までの音道にチューブを接続し外気導入管１５を形成する。また、ケース１１本体底部に開口部を設け、これを音道とつなぎ外気導入管１５を形成する。【選択図】図２
2008278439.tif 000002
【特許請求の範囲】
【請求項１】
耳かけ形補聴器において、本体部より延出するチューブ（音道）の先端にＹ字形のチューブを接続、Ｙ字形のチューブの一方を、外耳道内を密閉状態より開放するため外気導入管とし、Ｙ字形のもう一方の先端に外耳道の入口に装着する耳栓（イヤーチップ）を備える事を特徴とした補聴器。
【請求項２】
前記、請求項１記載の耳かけ形補聴器において、Ｙ字形のチューブにより本体より分岐した外気導入管を分岐することなく、ケース本体内に本体底部と音道をつなぎ外気導入管を形成し、それをケース本体に内蔵することを特徴とする補聴器。
【発明の詳細な説明】
【技術分野】
【０００１】本発明は外耳道の密閉感や、閉塞感、こもり感をなくし装着による不快感を解消し快適な装着感を実現する補聴器に関する。
【背景技術】
【０００２】従来から補聴器として、箱形、耳かけ形及び耳穴式などがあり、どの形式も音出力部としての耳栓を外耳道入口に挿入し、音漏れによるハウリングを防ぐため密着した状態で使用。
【発明の開示】
【発明が解決しようとする課題】
【０００３】耳栓（イヤーチップ）を外耳道入口に密着装用した場合、ハウリングの発生は防止できるが、外耳道の密閉により装用者に不快感を生じさせていた。【０００４】今日までの技術が持つこのような問題点に試行錯誤し取り組んだ本発明は、外耳道を密閉状態にすることなく鼓膜面と外気の通気を確保し、ハウリングがなく快適に装用できる補聴器を提供しようとするものである。
【課題を解決するための手段】
【０００５】課題の解決として請求項１の発明は、耳かけ形補聴器本体部より延出するチューブ（音道）に取り付けるＹ字形チューブ及び耳栓（イヤーチップ）で構成し、Ｙ字形チューブの一方を耳かけ形補聴器本体後方まで延長外気導入管とし、その先端を開放（オープンエアー）する、もう一方の先端に外耳道の入口に装着する耳栓（イヤーチップ）を備えるようにした。【０００６】請求項２の発明は、請求項１に記載した補聴器のケース本体部より延出するチューブ（音道）よりＹ字形チューブにより分岐した外気導入管を分岐させることなく、ケース本体底部と音道をつなぎ外気導入管を形成し、それをケースに内蔵するようにした。【０００７】以下に本発明の実施の形態について説明する。図１は本発明請求項２に係る耳かけ式補聴器（外気導入管内臓）の装着状態を示す図、図２は本発明請求項１に係る耳かけ式補聴器の全体外略図、図３は耳かけ式補聴器の本発明請求項２にかかる要部の構造を示す図である。
【発明の効果】
【０００８】以上説明したように本発明によれば、ハウリングを防止し、外耳道を密閉することなく通気性を確保でき、装用による不快感を生ずることがない。【０００９】また本発明は構造が簡単で、清掃などのメンテナンスについて省力化が図れ、特別な機器等使用していないため安価に製造でき省資源化が図れる。【００１０】本発明は通気性を確保し、更にハウリングを発生させないため騒音の中でも聞き取りの効果が大きい。
【図面の簡単な説明】
【００１１】
【図１】本発明の請求項２に係る耳かけ式補聴器の装用状態の概略図
【図２】本発明の請求項１に係る耳かけ式補聴器の概略図
【図３】本発明の請求項２に係る耳かけ式補聴器の要部構造図
【符号の説明】
【００１２】１１…ケース、１２…マイクロホン、１３…イヤホン、１４…音道、１５…外気導入管、１５ａ…外気導入管音道分岐部、１５ｂ…外気導入管本体開口部、２２…耳栓（イヤーチップ）、２３…Ｙ字形分岐チューブ、
【図１】
2008278439.tif 000003
【図２】
2008278439.tif 000004
【図３】
2008278439.tif 000005
(57)【要約】【課題】最近ＮＨＫの受信料金の不払いが問題になっている。そこで受信契約をしなければ受信できない手段を必要とされている。【解決手段】契約時に一定の時間だけ受信機が正常に受信できるタイマーの機能を持たせたカードを受信機に挿入する。期間が経過するとカードに組み込まれたタイマーが作動してトランジスタの電子スイッチが動作して受信機の局部発振回路の定数を変化させて希望の放送局が受信できなくするタイマーカード。【選択図】図−１
2008278438.tif 000002
【特許請求の範囲】
【請求項１】
電解コンデンサの定格の極性と逆の電圧を印加して使用し、時間の経過と共に変化する漏洩電流の変化でトランジスタの電子スイッチをＯＮして受像機の局部発振回路の定数を変化させて有料の放送を受信不可能とするプリペイドタイマーカード。
【発明の詳細な説明】
【発明の詳細な説明】
【技術分野】
【０００１】この発明はＮＨＫで代表される有料テレビジョン放送を必ず契約しなければ受信できなくするプリペイドカードに関するものである。
【背景技術】
【０００２】ンｈｋや一部のテレビジョン放送は受信契約をするのがルールであるが、現在販売されているテレビジョン受像機ではチャンネルを合わせれば視聴可能であっる。
【発明が解決しようとするための課題】
【０００３】本発明はこの欠点を取り除くものである。
【発明が解決しようとする手段】
【０００４】電解コンデンサＣ１に定格とは逆の電圧を加えて使用すると、漏洩電流の値は時間の経過と共に増加する。この特性を利用して電子スイッチＴＲ１，２、３、を動作させて契約時間が経過すると電子スイッチＴｒ３が動作してあらかじめ用意調整したチャンネルへ変える。
【発明を実施するための最良の形態】
【０００５】以下本発明の実施の形態について説明する。
（イ）」図−１は本発明の配線図である。
（ロ）時間経過を計る基準の電解コンデンサは外形寸法が大きいため、テレビジョン受像機の側に取り付ける。
（ハ）受像機には本発明のカードを差し込むコンエクタを取り付ける。
（ニ）配線図に示すようにそれぞれを配線する。
（ホ）時間が経過しない間はコンデンサに流れる漏洩電流は少ないため、Ｔｒ−１はＯＮしない。
（ヘ）時間が経過すると漏洩電流は増加してＴｒ−１をＯＮさせる。
（ト）Ｔｒ−１がＯＮすると次にＴｒ−２もＯＮし、最後にＴｒ−３がＯＮする。
（チ）Ｔｒ−３がＯＮすると受像機の局部発振回路にＬ、Ｃが接続されて有料放送は視聴できなくなる。
（リ）なお、Ｔｒ３の回路のＬを調整しておけば、受像機は民間放送を受像することができる。
（ヌ）この基板の単体を調整するために基板上に小型スイッチ  ＳＷ−１を用意しておき、調整側にすればＴｒ−１のベースに１２Ｖから抵抗を介して電流を流し計測用コンデンサＣを動作させなくても動作した時の設定チャンネルを調整できる。
（ル）カードにはジャンプワイヤーを設けておき、カードの有無を判定に使用する。
（ヲ）テレビ受像機の局部発振回路の出力にはこの周波数のトラップ回路を設けておき、ＮＮＨＫの放送は受信できなくしておく。
テレビには時間経過を測る電解コンデンサと、局部発振周波数を決定するＬＣＲとそれ等をＯＮ−ＯＦＦする電子スイッチとトラップ回路を設けておく。
【発明の効果】
【０００６】放送局は無料で視聴されることが少なくなり、さらに充実した放送をすることができるようになる。
【図面の簡単な説明】
【０００７】
【図−１】図−１は本発明の配線図である。連続破線で囲まれた部分はプリペイドカードである。Ｃはテレビジョン受像機の筐体の内部に固定するタイマーとなる電解コンデンサである。２２０マイクロファラッド１６ＷＶ
【図−１】
2008278438.tif 000003
【手続補正書】
【提出日】平成19年6月22日(2007.6.22)
【手続補正２】
【補正対象書類名】明細書
【補正対象項目名】０００２
【補正方法】変更
【補正の内容】
【０００２】ンＮＨＫや一部のテレビジョン放送は受信契約をするのがルールであるが、現在販売されているテレビジョン受像機ではチャンネルを合わせれば視聴可能である。
(57)【要約】【課題】情報、ニュースなどの、記録、録画などに於いて、単体の記録媒体では、多分野の記録が混在をなし、後日に於ける整理、分類、保存、活用、引用、などに役立てる為の、編集整理に大いなる労力を、必要とするものである【解決手段】そこで、情報、ニュースなどを、記録、録画を為す時点に於いて、任意の分類を為した多数個の記録媒体に分野別に選別を為し記録、録画、などを為す方法である【特許請求の範囲】
【請求項１】
記録媒体を、任意の分野別、に選別記録が可能な機構に為すことを特徴とする方法
【発明の詳細な説明】
【技術分野】
【０００１】  本発明は録画記録方法に関するものである
【背景技術】
【０００２】  現在、テレビなどの情報機器から録画記録を為す場合、通常、単体の録画記録媒体を装着する機構である、
【発明の開示】
【発明が解決しようとする課題】
【０００３】  しかるに、現状の情報、報道ニュースなどでは次々と、その内容の分野、種類が変わり、単体の録画記録媒体の場合には多くの分野、種類の情報が、同じ録画記録媒体に混在をなし分類、整理、分析、編集などに不便と労力を費やす、また録画記録中に記録媒体の取替えを為せば、時間的な遅れで録画が間に合わないなどの不便さが生じる
【課題を解決するための手段】
【０００４】  そこで、前述の欠点の回避方法であり、例えばテレビなどから録画を為す場合、その内容により分野別に記録媒体を、即、切り替え録画記録が出来る方法を考えたものである【０００５】即ち、例えばテレビと、任意の分野別に分けられた複数又は多数個の記録媒体、（例えばビデオテープ、ＣＤ、その他、など）を、任意に分けた分野別の個数（例えばビッグニュース・政経・スポーツ・健康・教育・防災・趣味・など）をテレビなどに接続し、その情報、ニュースなどの内容により、瞬時に記録分野を切り替え、個々の記録媒体に選別記録を為せる機構、構造に為す方法である、
【発明の効果】
【０００６】前述のごとく、情報内容により記録分野を即、切り替え情報を分類しながら記録を為すことができ、後日に於ける整理、分類、保存、活用、引用などにも役立つものである
【発明を実施するための最良の形態】
【０００７】本発明の実施の方法を図１〜図２に基づいて説明する【０００８】図１の如く本体と、分野別に分かれた複数の記録媒体を本体に付設する、そして情報の内容により、任意に分野別に記録媒体を選別し記録をなせる機能に為す、【０００９】また、テレビ本体と記録媒体を分離した機構にして分野別、選別の記録を為してもよい、
【図面の簡単な説明】
【００１０】
【図１】・・・本体に、分野別の複数の記録媒体が付設された機構例
【図２】・・・本体と、分野別の複数の記録媒体が分離された機構例
【符号の説明】
【００１１】１・・・本体        ２・・・記録媒体分別装置
【図１】
2008278441.tif 000002
【図２】
2008278441.tif 000003